(57)【要約】【課題】従来に比べて更に高い耐衝撃性能を有する衝撃吸収フィルムを提供する。【解決手段】衝撃吸収フィルムは、複数の第１ルーバー部（２１）と複数の第２ルーバー部（２２）とを有し、第１ルーバー部（２１）と第２ルーバー部（２２）とが交互に配置されたルーバー層（２）と、ルーバー層（２）上に積層された衝撃吸収層（１）と、を備えている。【選択図】図１
2014231157.tif 000002
【特許請求の範囲】
【請求項１】
複数の第１ルーバー部と複数の第２ルーバー部とを有し、上記第１ルーバー部と上記第２ルーバー部とが交互に配置されたルーバー層と、
上記ルーバー層上に積層された衝撃吸収層と、
を備えていることを特徴とする衝撃吸収フィルム。
【請求項２】
請求項１に記載の衝撃吸収フィルムにおいて、
上記第１ルーバー部が光透過性を有し、上記第２ルーバー部が遮光性を有することを特徴とする衝撃吸収フィルム。
【請求項３】
請求項１または２に記載の衝撃吸収フィルムにおいて、
第１面と第２面とを有する透明プラスチック層を更に備えており、
上記透明プラスチック層の上記第１面上に、上記ルーバー層が積層されていることを特徴とする衝撃吸収フィルム。
【請求項４】
請求項３に記載の衝撃吸収フィルムにおいて、
上記透明プラスチック層の上記第２面に粘着層を備えていることを特徴とする衝撃吸収フィルム。
【請求項５】
請求項１から４のいずれか１つに記載の衝撃吸収フィルムにおいて、
上記衝撃吸収層上に積層された透明保護層を、更に備えていることを特徴とする衝撃吸収フィルム。
【発明の詳細な説明】
【技術分野】
【０００１】
本発明は、衝撃吸収フィルムに関する。
【背景技術】
【０００２】
従来、衝撃吸収フィルムとしては、例えば、特開２０１１−１４５６８３号公報（特許文献１）に記載されたものがある。この衝撃吸収フィルムは、ウレタン系アクリレート化合物等からなる衝撃吸収透明粘着材層と、この衝撃吸収透明粘着材層上に積層された保護機能層と、を備えている。
【先行技術文献】
【特許文献】
【０００３】
【特許文献１】特開２０１１−１４５６８３号公報
【発明の概要】
【発明が解決しようとする課題】
【０００４】
ところで、近年のスマートフォンやタブレット端末等の携帯端末の高性能化に伴い、携帯端末の価格や修理費用は高価なものになってきている。そのため、多くの携帯端末ユーザは、自身の携帯端末を外部衝撃から保護するために、ケースや保護フィルム等を使用している。特に、液晶ディスプレイ等のフラットディスプレイ部分は損傷し易い箇所であり、この部分を保護する衝撃吸収フィルムには、高い耐衝撃性能が求められている。
【０００５】
しかし、上記従来の衝撃吸収フィルムの耐衝撃性能では、ある程度の外部衝撃からディスプレイを保護することはできたが、十分とはいえなかった。
【０００６】
そこで、本発明の課題は、従来に比べて更に高い耐衝撃性能を有する衝撃吸収フィルムを提供することにある。
【課題を解決するための手段】
【０００７】
上記課題を解決するため、本発明の衝撃吸収フィルムは、
複数の第１ルーバー部と複数の第２ルーバー部とを有し、上記第１ルーバー部と上記第２ルーバー部とが交互に配置されたルーバー層と、
上記ルーバー層上に積層された衝撃吸収層と、
を備えていることを特徴とする。
【０００８】
ここで、「ルーバー層」とは、複数のルーバー部が平行に並べられて構成された層であり、いわゆる鎧戸状に構成された層のことを言う。
【０００９】
また、本発明は、次の構成を単独でまたは任意に組み合わせて採用するのが好ましい。
【００１０】
（Ａ）上記第１ルーバー部が光透過性を有し、上記第２ルーバー部が遮光性を有する。
【００１１】
（Ｂ）第１面と第２面とを有する透明プラスチック層を更に備えており、上記透明プラスチック層の上記第１面上に、上記ルーバー層が積層されている。
【００１２】
（Ｃ）上記（Ｂ）において、上記透明プラスチック層の上記第２面に粘着層を備えている。
【００１３】
（Ｄ）上記衝撃吸収層上に積層された透明保護層を、更に備えている。
【発明の効果】
【００１４】
本発明の衝撃吸収フィルムによれば、衝撃吸収層だけでなくルーバー層も耐衝撃性能を発揮するので、従来に比べて更に高い耐衝撃性能を発揮することができる。
【００１５】
上記構成（Ａ）によれば、衝撃吸収フィルムをディスプレイ等に取り付けた場合、ルーバー層によって、ディスプレイ等に対する覗き見あるいは映り込みを防止することができる。
【００１６】
上記構成（Ｂ）によれば、透明プラスチック層によってルーバー層を補強できるので、ルーバー層の強度ひいては耐衝撃性能を高めることができる。
【００１７】
上記構成（Ｃ）によれば、粘着層によって、衝撃吸収フィルムをディスプレイ等に容易に取り付けることができる。
【００１８】
上記構成（Ｄ）によれば、透明保護層にハードコート加工あるいは反射防止加工等の処理を行うことができるので、衝撃吸収フィルムの表面硬度を高めたり、衝撃吸収フィルムの表面の反射率を低減したりすることができる。
【図面の簡単な説明】
【００１９】
【図１】図１は、本発明の一実施形態の衝撃吸収フィルムの概略断面図である。
【図２】図２は、上記衝撃吸収フィルムのルーバー層を示す平面図である。
【図３】図３は、上記衝撃吸収フィルムの変形例を示す概略断面図である。
【図４】図４は、上記衝撃吸収フィルムのルーバー層の変形例を示す平面図である。
【発明を実施するための形態】
【００２０】
以下、本発明の衝撃吸収フィルムを図示の一実施形態により詳細に説明する。
【００２１】
本実施形態の衝撃吸収フィルム１０は、図１に示すように、ルーバー層２と、このルーバー層２上に積層された衝撃吸収層１と、を備えている。衝撃吸収層１は、透明プラスチック層５を介して、ルーバー層２の表面２Ａ上に積層されている。さらに、衝撃吸収フィルム１０は、透明プラスチック層３と粘着層４とを備えている。透明プラスチック層３の第１面３Ａ上には、ルーバー層２が積層されている。また、透明プラスチック層３の第２面３Ｂには、粘着層４が設けられている。衝撃吸収層１とルーバー層２とは、および、ルーバー層２と透明プラスチック層３とは、接着剤（図示せず）を用いて接合されている。
【００２２】
衝撃吸収層１は、可視光域で透明であり、かつ、耐衝撃性を有する、ウレタン樹脂で構成されている。
【００２３】
ルーバー層２は、複数の第１ルーバー部２１と複数の第２ルーバー部２２とを有している。ルーバー層２は、第１ルーバー部２１と第２ルーバー部２２とが交互に平行に並べられてできている。ルーバー層２は、第１ルーバー部２１と第２ルーバー部２２とによって、鎧戸状に構成されている。第１ルーバー部２１と第２ルーバー部２２とは、ルーバー層２の表面２Ａに対して断面視垂直になるように、すなわち、矢印Ｙ方向に延びるように、第２ルーバー部２２を設けている。また、図２に示すように、第１ルーバー部２１および第２ルーバー部２２は、図１に示す断面に直交する方向（矢印Ｘ方向）に延在している。
【００２４】
第１ルーバー部２１は、可視光域で透明である紫外線硬化性アクリルで構成されており、光透過性を有している。一方、第２ルーバー部２２は、例えば、黒色，灰色等の暗色顔料または暗色染料；アルミニウム，銀等の金属；あるいは暗色の金属酸化物；を含有した有色の紫外線硬化性アクリルで構成されており、遮光性を有している。
【００２５】
透明プラスチック層３，５は、可視光域で透明であるポリエチレンテレフタレート（ＰＥＴ）樹脂で構成している。
【００２６】
粘着層４は、可視光域で透明であるシリコーンゴムからなり、透明プラスチック層３の第２面３Ｂに加硫接着されている。また、粘着層４は、衝撃吸収フィルム１０のディスプレイ等への着脱が可能となるような接着力を有するように調整されている。
【００２７】
衝撃吸収層１およびルーバー層２と透明プラスチック層５との接合、および、ルーバー層２と透明プラスチック層３との接合に使用される接着剤としては、可視光域で透明であるシリコーン接着剤を用いることができる。このシリコーン接着剤は、５〜５０μｍの厚さを有するように塗布される。
【００２８】
上記構成の衝撃吸収フィルム１０は、次のように製造した。
【００２９】
まず、公知の方法を用いて、衝撃吸収層１を製造した。
【００３０】
一方、ルーバー層２を、次の方法で製造した。すなわち、まず、可視光域で透明の熱硬化性シリコーン樹脂フィルムの表面に平行な複数の凹部２３を形成した。そして、凹部２３に有色の紫外線硬化性アクリルを充填し、硬化させた。これにより凹部２３内の硬化した紫外線硬化性アクリルが第２ルーバー部２２となり、隣接する第２ルーバー部２２の間の部分が第１ルーバー部２１となって、ルーバー層２が形成される。
【００３１】
そして、ルーバー層２の表面２Ａに接着剤を塗布して、ルーバー層２と透明プラスチック層５とを接合すると共に、透明プラスチック層５の表面５Ａに接着剤を塗布して、透明プラスチック層５と衝撃吸収層１とを接合した。
【００３２】
次に、公知の方法を用いて、透明プラスチック層３を製造した。そして、ルーバー層２の下面２Ｂに接着剤を塗布して、ルーバー層２の下面２Ｂと製造した透明プラスチック層３の第１面３Ａとを接合した。
【００３３】
最後に、透明プラスチック層３の第２面３Ｂに未加硫のシリコーンゴムを塗布し、これを加熱して、粘着層４を得た。これにより、粘着層４は、透明プラスチック層３の第２面３Ｂに加硫接着された。
【００３４】
衝撃吸収層１の厚さは、設計に応じて適宜決定することができるが、衝撃吸収層１が十分な耐衝撃性能を有するためには、一般に５０μｍ以上の厚さが必要である。一方で、衝撃吸収層１が厚くなり過ぎると衝撃吸収フィルム１０全体の薄型化が困難になるため、衝撃吸収層１の厚さは、５０〜３０００μｍが好ましく、５０〜１０００μｍがより好ましい。
【００３５】
ルーバー層２の厚さは、設計に応じて適宜決定することができる。しかし、ルーバー層２が厚すぎると衝撃吸収フィルム１０全体の薄型化が困難になるため、ルーバー層２の厚さは、１０〜１０００μｍが好ましく、１００〜４００μｍがより好ましい。なお、ルーバー層２における第１ルーバー部２１および第２ルーバー部２２の数は、設計に応じて任意に変更可能である。
【００３６】
透明プラスチック層３，５の厚さは、設計に応じて適宜決定することができるが、５０〜５００μｍが好ましく、３０〜２００μｍがより好ましい。このような範囲の厚さを有する透明プラスチック層３を用いると、透明プラスチック層３の物理的強度を十分に高めることができる。
【００３７】
粘着層４の厚さは、設計に応じて適宜決定することができる。粘着層４の厚さは、１０〜２００μｍが好ましく、１０〜１００μｍがより好ましい。
【００３８】
上記構成の衝撃吸収フィルム１０によれば、衝撃吸収層１だけでなくルーバー層２も耐衝撃性能を発揮するので、衝撃吸収層１のみを備えた従来の衝撃吸収フィルムと比べて、高い耐衝撃性能を発現することができる。
【００３９】
また、上記構成の衝撃吸収フィルム１０では、ルーバー層２が透明プラスチック層３上に設けられているので、透明プラスチック層３によってルーバー層２を補強することができ、ルーバー層２の強度ひいては耐衝撃性能を高めることができる。
【００４０】
また、第１ルーバー層２１が光透過性を有し、第２ルーバー層２２が遮光性を有しているので、衝撃吸収フィルム１０は、いわゆる遮光フィルムとしても機能する。つまり、本実施形態の衝撃吸収フィルム１０をディスプレイ等に取り付けた場合、ルーバー層２によって、ディスプレイ等に対する覗き見あるいは映り込みを防止することができる。
【００４１】
また、透明プラスチック層３の第２面３Ｂに粘着層４が設けられているので、粘着層４を介して、衝撃吸収フィルム１０をディスプレイ等に容易に取り付けることができ、また、容易に取り外すことができる。
【００４２】
（変形例）
（１）衝撃吸収層１は、ウレタン樹脂に限らず、アクリル樹脂等、高い透明性と耐衝撃性とを有する他の公知の材料で、構成できる。
【００４３】
（２）衝撃吸収層１の表面１Ａ上に透明保護層を設けてもよい。この透明保護層は、例えばＰＥＴでできている。この透明保護層には、ハードコート加工あるいは反射防止加工等の処理を行うことができるので、衝撃吸収フィルム１０の表面硬度を高めたり、衝撃吸収フィルム１０の表面の反射率を低減したりすることができる。
【００４４】
（３）ルーバー層２は、次の方法で製造できる。すなわち、まず、第１ルーバー部２０１を構成する樹脂層と第２ルーバー部２０２を構成する樹脂層とを交互に積層する。その後、積層された樹脂層を加熱加圧して硬化する。最後に、硬化した樹脂層を、積層方向に対して垂直な方向にスライスする。これにより、図３に示す衝撃吸収フィルム１１０のような断面を有するルーバー層２００が形成される。
【００４５】
（４）第１ルーバー部２１および第２ルーバー部２２は、紫外線硬化性アクリルに限らず、熱硬化シリコーン樹脂、熱可塑性樹脂、熱硬化性樹脂、あるいはエネルギー硬化性樹脂等の、高い透明性を有する他の公知の材料で、構成できる。例えば、セルロースアセテートブチレート、トリアセチルセルロース等のセルロース系樹脂；ポリエチレン、ポリプロピレン等のポリオレフィン樹脂；ポリエチレンテレフタレート等のポリエステル樹脂；ポリスチレン；ポリウレタン；塩化ビニル；アクリル樹脂；ポリカーボネート樹脂；等を用いることができる。
【００４６】
（５）第２ルーバー部２２は、透明性の高い樹脂で形成されてもよい。
【００４７】
（６）ルーバー層２は、図４に示すルーバー層２１０のように構成できる。このルーバー層２１０では、平面視において、第１ルーバー部２１１および第２ルーバー部２１２の延在方向が、図２のＸ方向に対して、一定角度αを形成するよう傾斜している。
【００４８】
図４の構成によれば、第１ルーバー部２１からの周期的な透過光とディスプレイ等からの周期的な光との干渉を回避することができるので、モアレ（干渉縞）の発生を防止できる。
【００４９】
なお、図４の角度αは、設計に応じて適宜変更可能であるが、２０°が好ましい。
【００５０】
（７）透明プラスチック層３，５は、ＰＥＴ樹脂に限らず、ポリカーボネート（ＰＣ）樹脂またはアクリル樹脂等の、高い透明性を有する他の公知の材料で、構成できる。なお、透明プラスチック層３は設けなくてもよい。
【００５１】
（８）粘着層４は、シリコーンゴムに限らず、例えば、熱硬化性エラストマー（アクリル系、ウレタン系）等の、高い透明性を有する他の公知の材料で、構成できる。
【００５２】
（９）接着剤としては、シリコーン接着剤に限らず、ゴム系、アクリル系、ウレタン系等の、公知の接着剤を、用いることができる。また、必要に応じて接着剤用プライマー等を用いてもよい。
【符号の説明】
【００５３】
１  衝撃吸収層
２，２００，２１０，２２０  ルーバー層
３，５  透明プラスチック層
４  粘着層
１０，１１０，１２０  衝撃吸収フィルム
２１，２０１，２１１，２２１  第１ルーバー部
２２，２０２，２１２，２２２  第２ルーバー部
２３  凹部
【図１】
2014231157.tif 000003
【図２】
2014231157.tif 000004
【図３】
2014231157.tif 000005
【図４】
2014231157.tif 000006